(57)【要約】【課題】本発明はマッシュポテト制作カップを開示した。【解決手段】本発明はマッシュポテト制作カップを開示し、本体１０を含み、前記第一回転軸４７が回転して前記第一傘歯車１５を回転連動させ、前記第一傘歯車１５が前記第三傘歯車２４を回転連動させ、前記第三傘歯車２４が前記第五傘歯車３１を回転連動させ、前記第五傘歯車３１が噛合によって前記第六傘歯車３４を回転連動させ、茹でたポテトは直接に内チャンバの中に入れ、手動でマッシュポテトに押し潰し、速度が早くて作ったマッシュポテトが滑らかでそれに本発明の製造コストが低く、値段が安く、家庭に適用する。【選択図】図１
2020175109.tif 000002
【特許請求の範囲】
【請求項１】
マッシュポテト制作カップであって、本体を含み、前記本体の中には上に開口した内チャンバが設置され、前記内チャンバの右側端面には第一凸ブロックが設置され、前記第一凸ブロックの右側端面には第二凸ブロックが設置され、前記第二凸ブロックと前記内チャンバの間にはポテトを手動でマッシュポテトに押し潰す押し潰し部品が設置され、前記押し潰し部品は第一回転軸を含み、前記本体の左側端面には左側凸ブロックが設置され、前記左側凸ブロックの中には左噛合チャンバが設置され、前記第一回転軸が前記左噛合チャンバの中に伸びており、前記左側凸ブロックの頂部端面には四つの前後左右対称の挿入棒状体が設置され、前記本体の右側端面には支持凸台が設置され、前記支持凸台の頂部端面には左に開口した支持溝が設置され、前記挿入棒状体と前記支持溝には固定ブロックが係止して連結され、前記固定ブロックの底部端面には四つの前後左右に対称的な差込連結ブロックが設置され、前記差込連結ブロックと前記挿入棒状体とが挿入連結され、前記固定ブロックの中にはネジ山軸が設置され、前記ネジ山軸の底部端面には押し潰しボードが設置され、前記押し潰しボードと前記内チャンバとがスライドできるように連結され、前記左側凸ブロックと前記固定ブロックとの間には前記押し潰しボードを制御して下へ移動させて前記内チャンバの中のポテトを押し潰す伝動部品が設置され、前記内チャンバの右側壁には右に開口した入り口が設置されることを特徴とするマッシュポテト制作カップ。
【請求項２】
前記押し潰し部品は前記第二凸ブロックの中に回転できるように取り付けられた手動回転軸を含み、前記手動回転軸には第一位置制限ブロックが設置され、前記第一位置制限ブロックと前記第二凸ブロックとが回転できるように連結され、前記第一凸ブロックの中には右噛合チャンバが設置され、前記手動回転軸が前記右噛合チャンバの中に伸びており、前記手動回転軸の左側端面には駆動歯車が設置され、前記駆動歯車の左側端面と前記第一回転軸とが連結され、前記右噛合チャンバの右側壁と前記内チャンバの左側壁との間には第二回転軸が回転できるように取り付けられ、前記第二回転軸には従動歯車が設置され、前記従動歯車と前記駆動歯車とが噛み合い、前記第二回転軸と第一回転軸には碾き輪が設置され、前後両側の前記碾き輪には相互に交差した碾きリングが設置され、
前記手動回転軸を握って回し、前記手動回転軸が前記駆動歯車と前記第一回転軸を回転連動させ、前記駆動歯車が噛合伝動によって前記従動歯車と前記第二回転軸を回転連動させ、前記第二回転軸前記と第一回転軸が前記碾き輪と前記碾きリングを回転連動させることを特徴とする請求項１に記載のマッシュポテト制作カップ。
【請求項３】
前記伝動部品は前記第一回転軸の左側端面に位置する第一傘歯車を含み、前記左噛合チャンバの底壁の中には伝動軸が回転できるように取り付けられ、前記伝動軸は上へ前記左側凸ブロックの頂部端面を貫通しており、前記伝動軸には第二傘歯車が設置され、前記第二傘歯車と前記第一傘歯車とが噛み合い、前記伝動軸には第三傘歯車が設置され、前記固定ブロックの中には下に開口した上噛合チャンバが設置され、前記上噛合チャンバの右側には伝動噛合チャンバが設置され、前記伝動噛合チャンバと前記上噛合チャンバとの間には第三回転軸が回転できるように取り付けられ、前記第三回転軸には第二位置制限ブロックが設置され、前記第二位置制限ブロックと前記固定ブロックとが回転できるように連結され、前記第三回転軸の左側端面には第四傘歯車が設置され、前記第四傘歯車と前記第三傘歯車とが噛み合い、前記第三回転軸の右側端面には第五傘歯車が設置され、前記伝動噛合チャンバの底壁には歯車固定リングが設置され、前記歯車固定リングには第六傘歯車が回転できるように取り付けられ、前記第六傘歯車と前記第五傘歯車とが噛み合い、前記第六傘歯車と前記ネジ山軸とがネジ山によって連結され、
前記第一回転軸が回転して前記第一傘歯車を回転連動させ、前記第一傘歯車が前記第三傘歯車を回転連動させ、前記第三傘歯車が前記第五傘歯車を回転連動させ、前記第五傘歯車が噛合によって前記第六傘歯車を回転連動させ、前記第六傘歯車がネジ山による連結を通じて前記ネジ山軸と前記押し潰しボードを下へ移動連動させることを特徴とする請求項１に記載のマッシュポテト制作カップ。
【請求項４】
前記左噛合チャンバの底壁には下に開口した左側通溝が設置され、前記右噛合チャンバの底壁には下に開口した右側通溝が設置され、前記内チャンバの底壁にはマッシュポテトを盛る器具を置くことができ、
前記内チャンバと前記碾き輪を水洗する時、水が隙間に従って前記左噛合チャンバと前記右噛合チャンバの中に入ったら前記左側通溝と前記右側通溝から排出され、前記碾き輪に碾かれた後生み出したマッシュポテトが前記内チャンバの底壁の器具の中に落ちることを特徴とする請求項１に記載のマッシュポテト制作カップ。
【発明の詳細な説明】
【技術分野】
【０００１】
本発明は台所用品の分野を取り上げて、具体的にはマッシュポテト制作カップである。
【背景技術】
【０００２】
マッシュポテトにソースを加えていい食べ物になれ、ところがいいマッシュポテトを食べたいなら外で買い、家でマッシュポテトを作れない原因はポテトをマッシュポテトに押し潰し押し潰し順番がすごくややこしく、茹でたポテトが熱すぎて、押し潰し押し潰しのに影響があり、市場のマッシュポテト制作工具は高く、或いは作ったマッシュポテトが滑らかじゃない。
【先行技術文献】
【特許文献】
【０００３】
【特許文献１】中国特許出願公開第１０８６１８５２８号明細書
【発明の概要】
【発明が解決しようとする課題】
【０００４】
本発明の目的はマッシュポテト制作カップを提供し、現有の技術の上記欠点を克服できる。
【課題を解決するための手段】
【０００５】
本発明の実施例におけるマッシュポテト制作カップは、本体を含み、前記本体の中には上に開口した内チャンバが設置され、前記内チャンバの右側端面には第一凸ブロックが設置され、前記第一凸ブロックの右側端面には第二凸ブロックが設置され、前記第二凸ブロックと前記内チャンバの間にはポテトを手動でマッシュポテトに押し潰す押し潰し部品が設置され、前記押し潰し部品は第一回転軸を含み、前記本体の左側端面には左側凸ブロックが設置され、前記左側凸ブロックの中には左噛合チャンバが設置され、前記第一回転軸が前記左噛合チャンバの中に伸びており、前記左側凸ブロックの頂部端面には四つの前後左右対称の挿入棒状体が設置され、前記本体の右側端面には支持凸台が設置され、前記支持凸台の頂部端面には左に開口した支持溝が設置され、前記挿入棒状体と前記支持溝には固定ブロックが係止して連結され、前記固定ブロックの底部端面には四つの前後左右に対称的な差込連結ブロックが設置され、前記差込連結ブロックと前記挿入棒状体とが挿入連結され、前記固定ブロックの中にはネジ山軸が設置され、前記ネジ山軸の底部端面には押し潰しボードが設置され、前記押し潰しボードと前記内チャンバとがスライドできるように連結され、前記左側凸ブロックと前記固定ブロックとの間には前記押し潰しボードを制御して下へ移動させて前記内チャンバの中のポテトを押し潰す伝動部品が設置され、前記内チャンバの右側壁には右に開口した入り口が設置され。
【０００６】
更なる技術方案、前記押し潰し部品は前記第二凸ブロックの中に回転できるように取り付けられた手動回転軸を含み、前記手動回転軸には第一位置制限ブロックが設置され、前記第一位置制限ブロックと前記第二凸ブロックとが回転できるように連結され、前記第一凸ブロックの中には右噛合チャンバが設置され、前記手動回転軸が前記右噛合チャンバの中に伸びており、前記手動回転軸の左側端面には駆動歯車が設置され、前記駆動歯車の左側端面と前記第一回転軸とが連結され、前記右噛合チャンバの右側壁と前記内チャンバの左側壁との間には第二回転軸が回転できるように取り付けられ、前記第二回転軸には従動歯車が設置され、前記従動歯車と前記駆動歯車とが噛み合い、前記第二回転軸と第一回転軸には碾き輪が設置され、前後両側の前記碾き輪には相互に交差した碾きリングが設置されている。
【０００７】
更なる技術方案、前記伝動部品は前記第一回転軸の左側端面に位置する第一傘歯車を含み、前記左噛合チャンバの底壁の中には伝動軸が回転できるように取り付けられ、前記伝動軸は上へ前記左側凸ブロックの頂部端面を貫通しており、前記伝動軸には第二傘歯車が設置され、前記第二傘歯車と前記第一傘歯車とが噛み合い、前記伝動軸には第三傘歯車が設置され、前記固定ブロックの中には下に開口した上噛合チャンバが設置され、前記上噛合チャンバの右側には伝動噛合チャンバが設置され、前記伝動噛合チャンバと前記上噛合チャンバとの間には第三回転軸が回転できるように取り付けられ、前記第三回転軸には第二位置制限ブロックが設置され、前記第二位置制限ブロックと前記固定ブロックとが回転できるように連結され、前記第三回転軸の左側端面には第四傘歯車が設置され、前記第四傘歯車と前記第三傘歯車とが噛み合い、前記第三回転軸の右側端面には第五傘歯車が設置され、前記伝動噛合チャンバの底壁には歯車固定リングが設置され、前記歯車固定リングには第六傘歯車が回転できるように取り付けられ、前記第六傘歯車と前記第五傘歯車とが噛み合い、前記第六傘歯車と前記ネジ山軸とがネジ山によって連結されている。
【０００８】
更なる技術方案、前記左噛合チャンバの底壁には下に開口した左側通溝が設置され、前記右噛合チャンバの底壁には下に開口した右側通溝が設置され、前記内チャンバの底壁にはマッシュポテトを盛る器具を置くことができる。
【発明の効果】
【０００９】
本発明の有益な効果は下記の通りである：
【００１０】
本発明は結構が簡単で、操作が便利で、茹でたポテトは直接に内チャンバの中に入れ、手動でマッシュポテトに押し潰し、速度が早くて作ったマッシュポテトが滑らかでそれに本発明の製造コストが低く、値段が安く、過程に似合い、便利に水洗し、普及する価値がある。
【図面の簡単な説明】
【００１１】
【図１】図１は本発明の全体構成模式図
【図２】図２は図１のＡ−Ａの方向の断面構成模式図
【図３】図３は固定ブロックを引っ掛けて取り付けていない時の構成模式図
【発明を実施するための形態】
【００１２】
以下は図１−３について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−３を参考して、本発明の実施例におけるマッシュポテト制作カップは、本体１０を含み、前記本体１０の中には上に開口した内チャンバ１１が設置され、前記内チャンバ１１の右側端面には第一凸ブロック３７が設置され、前記第一凸ブロック３７の右側端面には第二凸ブロック４０が設置され、前記第二凸ブロック４０と前記内チャンバ１１の間にはポテトを手動でマッシュポテトに押し潰す押し潰し部品９０１が設置され、前記押し潰し部品９０１は第一回転軸４７を含み、前記本体１０の左側端面には左側凸ブロック１８が設置され、前記左側凸ブロック１８の中には左噛合チャンバ１６が設置され、前記第一回転軸４７が前記左噛合チャンバ１６の中に伸びており、前記左側凸ブロック１８の頂部端面には四つの前後左右対称の挿入棒状体２２が設置され、前記本体１０の右側端面には支持凸台３５が設置され、前記支持凸台３５の頂部端面には左に開口した支持溝３６が設置され、前記挿入棒状体２２と前記支持溝３６には固定ブロック２５が係止して連結され、前記固定ブロック２５の底部端面には四つの前後左右に対称的な差込連結ブロック２３が設置され、前記差込連結ブロック２３と前記挿入棒状体２２とが挿入連結され、前記固定ブロック２５の中にはネジ山軸２１が設置され、前記ネジ山軸２１の底部端面には押し潰しボード２０が設置され、前記押し潰しボード２０と前記内チャンバ１１とがスライドできるように連結され、前記左側凸ブロック１８と前記固定ブロック２５との間には前記押し潰しボード２０を制御して下へ移動させて前記内チャンバ１１の中のポテトを押し潰す伝動部品９０２が設置され、前記内チャンバ１１の右側壁には右に開口した入り口１２が設置され。
【００１４】
前記押し潰し部品９１は前記第二凸ブロック４０の中に回転できるように取り付けられた手動回転軸４２を含み、前記手動回転軸４２には第一位置制限ブロック４１が設置され、前記第一位置制限ブロック４１と前記第二凸ブロック４０とが回転できるように連結され、前記第一凸ブロック３７の中には右噛合チャンバ４３が設置され、前記手動回転軸４２が前記右噛合チャンバ４３の中に伸びており、前記手動回転軸４２の左側端面には駆動歯車３８が設置され、前記駆動歯車３８の左側端面と前記第一回転軸４７とが連結され、前記右噛合チャンバ４３の右側壁と前記内チャンバ１１の左側壁との間には第二回転軸４６が回転できるように取り付けられ、前記第二回転軸４６には従動歯車４５が設置され、前記従動歯車４５と前記駆動歯車３８とが噛み合い、前記第二回転軸４６と第一回転軸４７には碾き輪４８が設置され、前後両側の前記碾き輪４８には相互に交差した碾きリング５０が設置され、
前記手動回転軸４２を握って回し、前記手動回転軸４２が前記駆動歯車３８と前記第一回転軸４７を回転連動させ、前記駆動歯車３８が噛合伝動によって前記従動歯車４５と前記第二回転軸４６を回転連動させ、前記第二回転軸４６前記と第一回転軸４７が前記碾き輪４８と前記碾きリング５０を回転連動させる。
【００１５】
前記伝動部品９０２は前記第一回転軸４７の左側端面に位置する第一傘歯車１５を含み、前記左噛合チャンバ１６の底壁の中には伝動軸１７が回転できるように取り付けられ、前記伝動軸１７は上へ前記左側凸ブロック１８の頂部端面を貫通しており、前記伝動軸１７には第二傘歯車１４が設置され、前記第二傘歯車１４と前記第一傘歯車１５とが噛み合い、前記伝動軸１７には第三傘歯車２４が設置され、前記固定ブロック２５の中には下に開口した上噛合チャンバ２６が設置され、前記上噛合チャンバ２６の右側には伝動噛合チャンバ３２が設置され、前記伝動噛合チャンバ３２と前記上噛合チャンバ２６との間には第三回転軸２８が回転できるように取り付けられ、前記第三回転軸２８には第二位置制限ブロック３０が設置され、前記第二位置制限ブロック３０と前記固定ブロック２５とが回転できるように連結され、前記第三回転軸２８の左側端面には第四傘歯車２７が設置され、前記第四傘歯車２７と前記第三傘歯車２４とが噛み合い、前記第三回転軸２８の右側端面には第五傘歯車３１が設置され、前記伝動噛合チャンバ３２の底壁には歯車固定リング３３が設置され、前記歯車固定リング３３には第六傘歯車３４が回転できるように取り付けられ、前記第六傘歯車３４と前記第五傘歯車３１とが噛み合い、前記第六傘歯車３４と前記ネジ山軸２１とがネジ山によって連結され、
前記第一回転軸４７が回転して前記第一傘歯車１５を回転連動させ、前記第一傘歯車１５が前記第三傘歯車２４を回転連動させ、前記第三傘歯車２４が前記第五傘歯車３１を回転連動させ、前記第五傘歯車３１が噛合によって前記第六傘歯車３４を回転連動させ、前記第六傘歯車３４がネジ山による連結を通じて前記ネジ山軸２１と前記押し潰しボード２０を下へ移動連動させる。
【００１６】
前記左噛合チャンバ１６の底壁には下に開口した左側通溝１３が設置され、前記右噛合チャンバ４３の底壁には下に開口した右側通溝４４が設置され、前記内チャンバ１１の底壁にはマッシュポテトを盛る器具を置くことができ、
前記内チャンバ１１と前記碾き輪４８を水洗する時、水が隙間に従って前記左噛合チャンバ１６と前記右噛合チャンバ４３の中に入ったら前記左側通溝１３と前記右側通溝４４から排出され、前記碾き輪４８に碾かれた後生み出したマッシュポテトが前記内チャンバ１１の底壁の器具の中に落ちる。
【００１７】
使用する時、茹でたポテトを内チャンバ１１の中に入れ、ポテトが碾き輪４８に溜まっており、差込連結ブロック２３を挿入棒状体２２に、固定ブロック２５の右端を支持溝３６に、押し潰しボード２０を内チャンバに合わせて差し込み、固定ブロック２５を固定させ、マッシュポテトを盛る器具を入り口１２を通じて内チャンバ１１の底壁に置く。
【００１８】
手動回転軸４２を握って回し始め、手動回転軸４２が駆動歯車３８と第一回転軸４７とを回転連動させ、駆動歯車３８が噛合伝動によって従動歯車４５と第二回転軸４６を回転連動させ、第二回転軸４６と第一回転軸４７が碾き輪と碾きリング５０を回転連動させ、ポテトをマッシュポテトに碾き、第一位置制限ブロック４１の作用によって、手動回転軸４２は回転する時駆動歯車３８と第一回転軸４７を左右に揺動連動させなく、第一回転軸４７が第一傘歯車１５を回転連動させ、第一傘歯車１５が噛合によって第二傘歯車１４と、伝動軸１７と第三傘歯車２４を回転連動させ、第三傘歯車２４が噛合によって第四傘歯車２７と、第三回転軸２８と第五傘歯車３１を回転連動させ、第五傘歯車３１が噛合によって第六傘歯車３４を回転連動させ、第六傘歯車３４がネジ山による協働を通じてネジ山軸２１と押し潰しボード２０を下へ移動連動させ、碾き輪４８と押し潰しボード２０との間に置かれたポテトを絶えずに下へ碾き、ポテトを前後両側の碾き輪４８によってマッシュポテトに碾き、第二位置制限ブロック３０の作用によって第三回転軸２８は回転する時左右に移動しなく、碾き輪４８で碾いて得たマッシュポテトは内チャンバ１１の底壁の器具の中に落ちる。
【００１９】
内チャンバ１１と碾き輪４８を水洗する時、もし水が隙間に従って左噛合チャンバ１６と右噛合チャンバ４３の中に入ったら左側通溝１３と右側通溝４４から排出される。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175109.tif 000003
【図２】
2020175109.tif 000004
【図３】
2020175109.tif 000005
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
マッシュポテト制作カップであって、本体を含み、前記本体の中には上に開口した内チャンバが設置され、前記内チャンバの右側端面には第一凸ブロックが設置され、前記第一凸ブロックの右側端面には第二凸ブロックが設置され、前記第二凸ブロックと前記内チャンバの間にはポテトを手動でマッシュポテトに押し潰す押し潰し部品が設置され、前記押し潰し部品は第一回転軸を含み、前記本体の左側端面には左側凸ブロックが設置され、前記左側凸ブロックの中には左噛合チャンバが設置され、前記第一回転軸が前記左噛合チャンバの中に伸びており、前記左側凸ブロックの頂部端面には四つの前後左右対称の挿入棒状体が設置され、前記本体の右側端面には支持凸台が設置され、前記支持凸台の頂部端面には左に開口した支持溝が設置され、前記挿入棒状体と前記支持溝には固定ブロックが係止して連結され、前記固定ブロックの底部端面には四つの前後左右に対称的な差込連結ブロックが設置され、前記差込連結ブロックと前記挿入棒状体とが挿入連結され、前記固定ブロックの中にはネジ山軸が設置され、前記ネジ山軸の底部端面には押し潰しボードが設置され、前記押し潰しボードと前記内チャンバとがスライドできるように連結され、前記左側凸ブロックと前記固定ブロックとの間には前記押し潰しボードを制御して下へ移動させて前記内チャンバの中のポテトを押し潰す伝動部品が設置され、前記内チャンバの右側壁には右に開口した入り口が設置されることを特徴とするマッシュポテト制作カップ。
【請求項２】
前記押し潰し部品は前記第二凸ブロックの中に回転できるように取り付けられた手動回転軸を含み、前記手動回転軸には第一位置制限ブロックが設置され、前記第一位置制限ブロックと前記第二凸ブロックとが回転できるように連結され、前記第一凸ブロックの中には右噛合チャンバが設置され、前記手動回転軸が前記右噛合チャンバの中に伸びており、前記手動回転軸の左側端面には駆動歯車が設置され、前記駆動歯車の左側端面と前記第一回転軸とが連結され、前記右噛合チャンバの右側壁と前記内チャンバの左側壁との間には第二回転軸が回転できるように取り付けられ、前記第二回転軸には従動歯車が設置され、前記従動歯車と前記駆動歯車とが噛み合い、前記第二回転軸と第一回転軸には碾き輪が設置され、前後両側の前記碾き輪には相互に交差した碾きリングが設置され、
前記手動回転軸を握って回し、前記手動回転軸が前記駆動歯車と前記第一回転軸を回転連動させ、前記駆動歯車が噛合伝動によって前記従動歯車と前記第二回転軸を回転連動させ、前記第二回転軸と前記第一回転軸が前記碾き輪と前記碾きリングを回転連動させることを特徴とする請求項１に記載のマッシュポテト制作カップ。
【請求項３】
前記伝動部品は前記第一回転軸の左側端面に位置する第一傘歯車を含み、前記左噛合チャンバの底壁の中には伝動軸が回転できるように取り付けられ、前記伝動軸は上へ前記左側凸ブロックの頂部端面を貫通しており、前記伝動軸には第二傘歯車が設置され、前記第二傘歯車と前記第一傘歯車とが噛み合い、前記伝動軸には第三傘歯車が設置され、前記固定ブロックの中には下に開口した上噛合チャンバが設置され、前記上噛合チャンバの右側には伝動噛合チャンバが設置され、前記伝動噛合チャンバと前記上噛合チャンバとの間には第三回転軸が回転できるように取り付けられ、前記第三回転軸には第二位置制限ブロックが設置され、前記第二位置制限ブロックと前記固定ブロックとが回転できるように連結され、前記第三回転軸の左側端面には第四傘歯車が設置され、前記第四傘歯車と前記第三傘歯車とが噛み合い、前記第三回転軸の右側端面には第五傘歯車が設置され、前記伝動噛合チャンバの底壁には歯車固定リングが設置され、前記歯車固定リングには第六傘歯車が回転できるように取り付けられ、前記第六傘歯車と前記第五傘歯車とが噛み合い、前記第六傘歯車と前記ネジ山軸とがネジ山によって連結され、
前記第一回転軸が回転して前記第一傘歯車を回転連動させ、前記第一傘歯車が前記第三傘歯車を回転連動させ、前記第三傘歯車が前記第五傘歯車を回転連動させ、前記第五傘歯車が噛合によって前記第六傘歯車を回転連動させ、前記第六傘歯車がネジ山による連結を通じて前記ネジ山軸と前記押し潰しボードを下へ移動連動させることを特徴とする請求項１に記載のマッシュポテト制作カップ。
【請求項４】
前記左噛合チャンバの底壁には下に開口した左側通溝が設置され、前記右噛合チャンバの底壁には下に開口した右側通溝が設置され、前記内チャンバの底壁にはマッシュポテトを盛る器具を置くことができ、
前記内チャンバと前記碾き輪を水洗する時、水が隙間に従って前記左噛合チャンバと前記右噛合チャンバの中に入ったら前記左側通溝と前記右側通溝から排出され、前記碾き輪に碾かれた後生み出したマッシュポテトが前記内チャンバの底壁の器具の中に落ちることを特徴とする請求項２に記載のマッシュポテト制作カップ。
【手続補正２】
【補正対象書類名】明細書
【補正対象項目名】全文
【補正方法】変更
【補正の内容】
【発明の詳細な説明】
【技術分野】
【０００１】
本発明は台所用品の分野を取り上げて、具体的にはマッシュポテト制作カップである。
【背景技術】
【０００２】
マッシュポテトにソースを加えていい食べ物になれ、ところがいいマッシュポテトを食べたいなら外で買い、家でマッシュポテトを作れない原因はポテトをマッシュポテトに押し潰し押し潰し順番がすごくややこしく、茹でたポテトが熱すぎて、押し潰し押し潰しのに影響があり、市場のマッシュポテト制作工具は高く、或いは作ったマッシュポテトが滑らかじゃない。
【先行技術文献】
【特許文献】
【０００３】
【特許文献１】中国特許出願公開第１０８６１８５２８号明細書
【発明の概要】
【発明が解決しようとする課題】
【０００４】
本発明の目的はマッシュポテト制作カップを提供し、現有の技術の上記欠点を克服できる。
【課題を解決するための手段】
【０００５】
本発明の実施例におけるマッシュポテト制作カップは、本体を含み、前記本体の中には上に開口した内チャンバが設置され、前記内チャンバの右側端面には第一凸ブロックが設置され、前記第一凸ブロックの右側端面には第二凸ブロックが設置され、前記第二凸ブロックと前記内チャンバの間にはポテトを手動でマッシュポテトに押し潰す押し潰し部品が設置され、前記押し潰し部品は第一回転軸を含み、前記本体の左側端面には左側凸ブロックが設置され、前記左側凸ブロックの中には左噛合チャンバが設置され、前記第一回転軸が前記左噛合チャンバの中に伸びており、前記左側凸ブロックの頂部端面には四つの前後左右対称の挿入棒状体が設置され、前記本体の右側端面には支持凸台が設置され、前記支持凸台の頂部端面には左に開口した支持溝が設置され、前記挿入棒状体と前記支持溝には固定ブロックが係止して連結され、前記固定ブロックの底部端面には四つの前後左右に対称的な差込連結ブロックが設置され、前記差込連結ブロックと前記挿入棒状体とが挿入連結され、前記固定ブロックの中にはネジ山軸が設置され、前記ネジ山軸の底部端面には押し潰しボードが設置され、前記押し潰しボードと前記内チャンバとがスライドできるように連結され、前記左側凸ブロックと前記固定ブロックとの間には前記押し潰しボードを制御して下へ移動させて前記内チャンバの中のポテトを押し潰す伝動部品が設置され、前記内チャンバの右側壁には右に開口した入り口が設置され。
【０００６】
更なる技術方案、前記押し潰し部品は前記第二凸ブロックの中に回転できるように取り付けられた手動回転軸を含み、前記手動回転軸には第一位置制限ブロックが設置され、前記第一位置制限ブロックと前記第二凸ブロックとが回転できるように連結され、前記第一凸ブロックの中には右噛合チャンバが設置され、前記手動回転軸が前記右噛合チャンバの中に伸びており、前記手動回転軸の左側端面には駆動歯車が設置され、前記駆動歯車の左側端面と前記第一回転軸とが連結され、前記右噛合チャンバの右側壁と前記内チャンバの左側壁との間には第二回転軸が回転できるように取り付けられ、前記第二回転軸には従動歯車が設置され、前記従動歯車と前記駆動歯車とが噛み合い、前記第二回転軸と第一回転軸には碾き輪が設置され、前後両側の前記碾き輪には相互に交差した碾きリングが設置されている。
【０００７】
更なる技術方案、前記伝動部品は前記第一回転軸の左側端面に位置する第一傘歯車を含み、前記左噛合チャンバの底壁の中には伝動軸が回転できるように取り付けられ、前記伝動軸は上へ前記左側凸ブロックの頂部端面を貫通しており、前記伝動軸には第二傘歯車が設置され、前記第二傘歯車と前記第一傘歯車とが噛み合い、前記伝動軸には第三傘歯車が設置され、前記固定ブロックの中には下に開口した上噛合チャンバが設置され、前記上噛合チャンバの右側には伝動噛合チャンバが設置され、前記伝動噛合チャンバと前記上噛合チャンバとの間には第三回転軸が回転できるように取り付けられ、前記第三回転軸には第二位置制限ブロックが設置され、前記第二位置制限ブロックと前記固定ブロックとが回転できるように連結され、前記第三回転軸の左側端面には第四傘歯車が設置され、前記第四傘歯車と前記第三傘歯車とが噛み合い、前記第三回転軸の右側端面には第五傘歯車が設置され、前記伝動噛合チャンバの底壁には歯車固定リングが設置され、前記歯車固定リングには第六傘歯車が回転できるように取り付けられ、前記第六傘歯車と前記第五傘歯車とが噛み合い、前記第六傘歯車と前記ネジ山軸とがネジ山によって連結されている。
【０００８】
更なる技術方案、前記左噛合チャンバの底壁には下に開口した左側通溝が設置され、前記右噛合チャンバの底壁には下に開口した右側通溝が設置され、前記内チャンバの底壁にはマッシュポテトを盛る器具を置くことができる。
【発明の効果】
【０００９】
本発明の有益な効果は下記の通りである：
【００１０】
本発明は結構が簡単で、操作が便利で、茹でたポテトは直接に内チャンバの中に入れ、手動でマッシュポテトに押し潰し、速度が早くて作ったマッシュポテトが滑らかでそれに本発明の製造コストが低く、値段が安く、過程に似合い、便利に水洗し、普及する価値がある。
【図面の簡単な説明】
【００１１】
【図１】図１は本発明の全体構成模式図
【図２】図２は図１のＡ−Ａの方向の断面構成模式図
【図３】図３は固定ブロックを引っ掛けて取り付けていない時の構成模式図
【発明を実施するための形態】
【００１２】
以下は図１−３について本発明にを詳しく説明し、その中、便利に叙述するように、現在は後文に出る方位を下記の通りに規定する：後文に出る上下左右前後方向は図１本体の投影関係の上下左右前後方向と一致する。
【００１３】
図１−３を参考して、本発明の実施例におけるマッシュポテト制作カップは、本体１０を含み、前記本体１０の中には上に開口した内チャンバ１１が設置され、前記内チャンバ１１の右側端面には第一凸ブロック３７が設置され、前記第一凸ブロック３７の右側端面には第二凸ブロック４０が設置され、前記第二凸ブロック４０と前記内チャンバ１１の間にはポテトを手動でマッシュポテトに押し潰す押し潰し部品９０１が設置され、前記押し潰し部品９０１は第一回転軸４７を含み、前記本体１０の左側端面には左側凸ブロック１８が設置され、前記左側凸ブロック１８の中には左噛合チャンバ１６が設置され、前記第一回転軸４７が前記左噛合チャンバ１６の中に伸びており、前記左側凸ブロック１８の頂部端面には四つの前後左右対称の挿入棒状体２２が設置され、前記本体１０の右側端面には支持凸台３５が設置され、前記支持凸台３５の頂部端面には左に開口した支持溝３６が設置され、前記挿入棒状体２２と前記支持溝３６には固定ブロック２５が係止して連結され、前記固定ブロック２５の底部端面には四つの前後左右に対称的な差込連結ブロック２３が設置され、前記差込連結ブロック２３と前記挿入棒状体２２とが挿入連結され、前記固定ブロック２５の中にはネジ山軸２１が設置され、前記ネジ山軸２１の底部端面には押し潰しボード２０が設置され、前記押し潰しボード２０と前記内チャンバ１１とがスライドできるように連結され、前記左側凸ブロック１８と前記固定ブロック２５との間には前記押し潰しボード２０を制御して下へ移動させて前記内チャンバ１１の中のポテトを押し潰す伝動部品９０２が設置され、前記内チャンバ１１の右側壁には右に開口した入り口１２が設置され。
【００１４】
前記押し潰し部品９１は前記第二凸ブロック４０の中に回転できるように取り付けられた手動回転軸４２を含み、前記手動回転軸４２には第一位置制限ブロック４１が設置され、前記第一位置制限ブロック４１と前記第二凸ブロック４０とが回転できるように連結され、前記第一凸ブロック３７の中には右噛合チャンバ４３が設置され、前記手動回転軸４２が前記右噛合チャンバ４３の中に伸びており、前記手動回転軸４２の左側端面には駆動歯車３８が設置され、前記駆動歯車３８の左側端面と前記第一回転軸４７とが連結され、前記右噛合チャンバ４３の右側壁と前記内チャンバ１１の左側壁との間には第二回転軸４６が回転できるように取り付けられ、前記第二回転軸４６には従動歯車４５が設置され、前記従動歯車４５と前記駆動歯車３８とが噛み合い、前記第二回転軸４６と第一回転軸４７には碾き輪４８が設置され、前後両側の前記碾き輪４８には相互に交差した碾きリング５０が設置され、
前記手動回転軸４２を握って回し、前記手動回転軸４２が前記駆動歯車３８と前記第一回転軸４７を回転連動させ、前記駆動歯車３８が噛合伝動によって前記従動歯車４５と前記第二回転軸４６を回転連動させ、前記第二回転軸４６と前記第一回転軸４７が前記碾き輪４８と前記碾きリング５０を回転連動させる。
【００１５】
前記伝動部品９０２は前記第一回転軸４７の左側端面に位置する第一傘歯車１５を含み、前記左噛合チャンバ１６の底壁の中には伝動軸１７が回転できるように取り付けられ、前記伝動軸１７は上へ前記左側凸ブロック１８の頂部端面を貫通しており、前記伝動軸１７には第二傘歯車１４が設置され、前記第二傘歯車１４と前記第一傘歯車１５とが噛み合い、前記伝動軸１７には第三傘歯車２４が設置され、前記固定ブロック２５の中には下に開口した上噛合チャンバ２６が設置され、前記上噛合チャンバ２６の右側には伝動噛合チャンバ３２が設置され、前記伝動噛合チャンバ３２と前記上噛合チャンバ２６との間には第三回転軸２８が回転できるように取り付けられ、前記第三回転軸２８には第二位置制限ブロック３０が設置され、前記第二位置制限ブロック３０と前記固定ブロック２５とが回転できるように連結され、前記第三回転軸２８の左側端面には第四傘歯車２７が設置され、前記第四傘歯車２７と前記第三傘歯車２４とが噛み合い、前記第三回転軸２８の右側端面には第五傘歯車３１が設置され、前記伝動噛合チャンバ３２の底壁には歯車固定リング３３が設置され、前記歯車固定リング３３には第六傘歯車３４が回転できるように取り付けられ、前記第六傘歯車３４と前記第五傘歯車３１とが噛み合い、前記第六傘歯車３４と前記ネジ山軸２１とがネジ山によって連結され、
前記第一回転軸４７が回転して前記第一傘歯車１５を回転連動させ、前記第一傘歯車１５が前記第三傘歯車２４を回転連動させ、前記第三傘歯車２４が前記第五傘歯車３１を回転連動させ、前記第五傘歯車３１が噛合によって前記第六傘歯車３４を回転連動させ、前記第六傘歯車３４がネジ山による連結を通じて前記ネジ山軸２１と前記押し潰しボード２０を下へ移動連動させる。
【００１６】
前記左噛合チャンバ１６の底壁には下に開口した左側通溝１３が設置され、前記右噛合チャンバ４３の底壁には下に開口した右側通溝４４が設置され、前記内チャンバ１１の底壁にはマッシュポテトを盛る器具を置くことができ、
前記内チャンバ１１と前記碾き輪４８を水洗する時、水が隙間に従って前記左噛合チャンバ１６と前記右噛合チャンバ４３の中に入ったら前記左側通溝１３と前記右側通溝４４から排出され、前記碾き輪４８に碾かれた後生み出したマッシュポテトが前記内チャンバ１１の底壁の器具の中に落ちる。
【００１７】
使用する時、茹でたポテトを内チャンバ１１の中に入れ、ポテトが碾き輪４８に溜まっており、差込連結ブロック２３を挿入棒状体２２に、固定ブロック２５の右端を支持溝３６に、押し潰しボード２０を内チャンバに合わせて差し込み、固定ブロック２５を固定させ、マッシュポテトを盛る器具を入り口１２を通じて内チャンバ１１の底壁に置く。
【００１８】
手動回転軸４２を握って回し始め、手動回転軸４２が駆動歯車３８と第一回転軸４７とを回転連動させ、駆動歯車３８が噛合伝動によって従動歯車４５と第二回転軸４６を回転連動させ、第二回転軸４６と第一回転軸４７が碾き輪と碾きリング５０を回転連動させ、ポテトをマッシュポテトに碾き、第一位置制限ブロック４１の作用によって、手動回転軸４２は回転する時駆動歯車３８と第一回転軸４７を左右に揺動連動させなく、第一回転軸４７が第一傘歯車１５を回転連動させ、第一傘歯車１５が噛合によって第二傘歯車１４と、伝動軸１７と第三傘歯車２４を回転連動させ、第三傘歯車２４が噛合によって第四傘歯車２７と、第三回転軸２８と第五傘歯車３１を回転連動させ、第五傘歯車３１が噛合によって第六傘歯車３４を回転連動させ、第六傘歯車３４がネジ山による協働を通じてネジ山軸２１と押し潰しボード２０を下へ移動連動させ、碾き輪４８と押し潰しボード２０との間に置かれたポテトを絶えずに下へ碾き、ポテトを前後両側の碾き輪４８によってマッシュポテトに碾き、第二位置制限ブロック３０の作用によって第三回転軸２８は回転する時左右に移動しなく、碾き輪４８で碾いて得たマッシュポテトは内チャンバ１１の底壁の器具の中に落ちる。
【００１９】
内チャンバ１１と碾き輪４８を水洗する時、もし水が隙間に従って左噛合チャンバ１６と右噛合チャンバ４３の中に入ったら左側通溝１３と右側通溝４４から排出される。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。